(57)【特許請求の範囲】
【請求項１】
直流またはパルス状の駆動波形を生成し、前記駆動波形に応じた駆動電圧を出力する駆動回路と、
陽極、陰極、および前記陽極と前記陰極との間に設けられた有機層、ならびに前記有機層で生成された光が取り出される発光面、および前記発光面の周縁部側に設けられた複数の給電部を含み、前記駆動回路から出力された前記駆動電圧が複数の前記給電部、前記陽極、および前記陰極を介して前記有機層に供給される有機ＥＬパネルと、を備え、
前記給電部から前記陽極のうちの前記発光面の中央部に対応する部分を経て前記有機層に至る経路の抵抗は、前記給電部から前記陽極のうちの前記発光面の前記周縁部に対応する部分を経て前記有機層に至る経路の抵抗よりも高く、
前記有機層は、コンデンサ成分を有しており、
消灯状態にある前記有機ＥＬパネルに前記駆動回路が前記駆動電圧を供給することによって前記有機ＥＬパネルを点灯させる際、前記駆動回路は、前記有機ＥＬパネルを点灯させるための指示信号を受け取った時点から第１周波数を有する前記駆動電圧を前記有機ＥＬパネルに所定の時間の間供給することによって、前記発光面内の前記周縁部側に比べて前記発光面内の前記中央部側の方が遅く明るくなるように前記有機ＥＬパネルを点灯させ、
前記駆動回路は、前記第１周波数を有する前記駆動電圧を前記有機ＥＬパネルに前記所定の時間の間供給した後、前記第１周波数よりも低い第２周波数を有する前記駆動電圧を前記有機ＥＬパネルに供給することによって、前記有機ＥＬパネルを均一な点灯状態とさせる、有機ＥＬ照明装置。
【請求項２】
前記所定の時間の間、前記駆動回路は、前記第１周波数の周波数値が徐々に低くなるように変化させる、
請求項１に記載の有機ＥＬ照明装置。
【請求項３】
前記駆動回路は、前記駆動波形のデューティを制御するＰＷＭ制御部を含み、
前記所定の時間の間、前記ＰＷＭ制御部は、前記駆動波形の前記デューティを変化させる、
請求項１または２に記載の有機ＥＬ照明装置。
【請求項４】
前記駆動回路は、前記駆動電圧の電圧値を制御する電圧制御部を含み、
前記所定の時間の間、前記電圧制御部は、前記駆動電圧の前記電圧値を変化させる、
請求項１から３のいずれかに記載の有機ＥＬ照明装置。
【請求項５】
前記駆動回路と複数の前記給電部との間に配置されるスイッチ手段をさらに備え、
前記所定の時間の間、前記スイッチ手段は、前記駆動回路と複数のうちの一部の前記給電部との間の電気的接続を切断することによって、前記有機ＥＬパネルに前記駆動電圧を供給する前記給電部の数を減少させる、
請求項１から４のいずれかに記載の有機ＥＬ照明装置。
【請求項６】
直流またはパルス状の駆動波形を生成し、前記駆動波形に応じた駆動電圧を出力する駆動回路と、
陽極、陰極、および前記陽極と前記陰極との間に設けられた有機層、ならびに前記有機層で生成された光が取り出される発光面、および前記発光面の周縁部側に設けられた複数の給電部を含み、前記駆動回路から出力された前記駆動電圧が複数の前記給電部、前記陽極、および前記陰極を介して前記有機層に供給される有機ＥＬパネルと、を備え、
前記給電部から前記陽極のうちの前記発光面の中央部に対応する部分を経て前記有機層に至る経路の抵抗は、前記給電部から前記陽極のうちの前記発光面の前記周縁部に対応する部分を経て前記有機層に至る経路の抵抗よりも高く、
前記有機層は、コンデンサ成分を有しており、
前記有機ＥＬパネルは、前記駆動回路から第３周波数を有する前記駆動電圧を供給されることによって均一な点灯状態とされ、
前記均一な点灯状態にある前記有機ＥＬパネルへの前記駆動電圧の供給を前記駆動回路が停止することによって前記有機ＥＬパネルを消灯させる際、前記駆動回路は、前記有機ＥＬパネルを消灯させるための指示信号を受け取った時点から前記第３周波数よりも高い第４周波数を有する前記駆動電圧を前記有機ＥＬパネルに所定の時間の間供給することによって、前記発光面内の前記周縁部側に比べて前記発光面内の前記中央部側の方が早く暗くなるように前記有機ＥＬパネルを消灯させ、
前記駆動回路は、前記第４周波数を有する前記駆動電圧を前記有機ＥＬパネルに前記所定の時間の間供給した後、前記有機ＥＬパネルへの前記駆動電圧の供給を停止することによって、前記有機ＥＬパネルを消灯状態とさせる、
有機ＥＬ照明装置。
【請求項７】
前記所定の時間の間、前記駆動回路は、前記第４周波数の周波数値が徐々に高くなるように変化させる、
請求項６に記載の有機ＥＬ照明装置。
【請求項８】
前記駆動回路は、前記駆動波形のデューティを制御するＰＷＭ制御部を含み、
前記所定の時間の間、前記ＰＷＭ制御部は、前記駆動波形の前記デューティを変化させる、
請求項６または７に記載の有機ＥＬ照明装置。
【請求項９】
前記駆動回路は、前記駆動電圧の電圧値を制御する電圧制御部を含み、
前記所定の時間の間、前記電圧制御部は、前記駆動電圧の前記電圧値を変化させる、
請求項６から８のいずれかに記載の有機ＥＬ照明装置。
【請求項１０】
前記駆動回路と複数の前記給電部との間に配置されるスイッチ手段をさらに備え、
前記所定の時間の間、前記スイッチ手段は、前記駆動回路と複数のうちの一部の前記給電部との間の電気的接続を切断することによって、前記有機ＥＬパネルに前記駆動電圧を供給する前記給電部の数を減少させる、
請求項６から９のいずれかに記載の有機ＥＬ照明装置。
【発明の詳細な説明】
【技術分野】
【０００１】
本発明は、有機ＥＬパネル（ＥＬ：Electro  Luminescence）を備える有機ＥＬ照明装置に関する。
【背景技術】
【０００２】
特開２０１０−２３２２８６号公報（特許文献１）に開示されるように、有機ＥＬパネルを備える有機ＥＬ照明装置が知られている。
【先行技術文献】
【特許文献】
【０００３】
【特許文献１】特開２０１０−２３２２８６号公報
【発明の概要】
【発明が解決しようとする課題】
【０００４】
特開２０１０−２３２２８６号公報（特許文献１）に開示される有機ＥＬ照明装置は、発光面内の全体を均一に発光させることを可能にすることに留まるものである。
【０００５】
本発明は、たとえば、発光面内の周縁部に比べて発光面内の中央部の方が遅く明るくなるように有機ＥＬパネルを点灯させたり、発光面内の周縁部に比べて発光面内の中央部の方が早く暗くなるように有機ＥＬパネルを消灯させたりするといったように、照明上の特殊な演出効果を発揮することが可能な有機ＥＬ照明装置を提供することを目的とする。
【課題を解決するための手段】
【０００６】
本発明の或る局面に基づく有機ＥＬ照明装置は、直流またはパルス状の駆動波形を生成し、上記駆動波形に応じた駆動電圧を出力する駆動回路と、陽極、陰極、および上記陽極と上記陰極との間に設けられた有機層、ならびに上記有機層で生成された光が取り出される発光面、および上記発光面の周縁部側に設けられた複数の給電部を含み、上記駆動回路から出力された上記駆動電圧が複数の上記給電部、上記陽極、および上記陰極を介して上記有機層に供給される有機ＥＬパネルと、を備え、上記給電部から上記陽極のうちの上記発光面の中央部に対応する部分を経て上記有機層に至る経路の抵抗は、上記給電部から上記陽極のうちの上記発光面の上記周縁部に対応する部分を経て上記有機層に至る経路の抵抗よりも高く、上記有機層は、コンデンサ成分を有しており、消灯状態にある上記有機ＥＬパネルに上記駆動回路が上記駆動電圧を供給することによって上記有機ＥＬパネルを点灯させる際、上記駆動回路は、上記有機ＥＬパネルを点灯させるための指示信号を受け取った時点から第１周波数を有する上記駆動電圧を上記有機ＥＬパネルに所定の時間の間供給することによって、上記発光面内の上記周縁部側に比べて上記発光面内の上記中央部側の方が遅く明るくなるように上記有機ＥＬパネルを点灯させ、上記駆動回路は、上記第１周波数を有する上記駆動電圧を上記有機ＥＬパネルに上記所定の時間の間供給した後、上記第１周波数よりも低い第２周波数を有する上記駆動電圧を上記有機ＥＬパネルに供給することによって、上記有機ＥＬパネルを均一な点灯状態とさせる。
【０００７】
好ましくは、上記所定の時間の間、上記駆動回路は、上記第１周波数の周波数値が徐々に低くなるように変化させる。好ましくは、上記駆動回路は、上記駆動波形のデューティを制御するＰＷＭ制御部を含み、上記所定の時間の間、上記ＰＷＭ制御部は、上記駆動波形の上記デューティを変化させる。
【０００８】
好ましくは、上記駆動回路は、上記駆動電圧の電圧値を制御する電圧制御部を含み、上記所定の時間の間、上記電圧制御部は、上記駆動電圧の上記電圧値を変化させる。好ましくは、本発明の或る局面に基づく上記の有機ＥＬ照明装置は、上記駆動回路と複数の上記給電部との間に配置されるスイッチ手段をさらに備え、上記所定の時間の間、上記スイッチ手段は、上記駆動回路と複数のうちの一部の上記給電部との間の電気的接続を切断することによって、上記有機ＥＬパネルに上記駆動電圧を供給する上記給電部の数を減少させる。
【０００９】
本発明の他の局面に基づく有機ＥＬ照明装置は、直流またはパルス状の駆動波形を生成し、上記駆動波形に応じた駆動電圧を出力する駆動回路と、陽極、陰極、および上記陽極と上記陰極との間に設けられた有機層、ならびに上記有機層で生成された光が取り出される発光面、および上記発光面の周縁部側に設けられた複数の給電部を含み、上記駆動回路から出力された上記駆動電圧が複数の上記給電部、上記陽極、および上記陰極を介して上記有機層に供給される有機ＥＬパネルと、を備え、上記給電部から上記陽極のうちの上記発光面の中央部に対応する部分を経て上記有機層に至る経路の抵抗は、上記給電部から上記陽極のうちの上記発光面の上記周縁部に対応する部分を経て上記有機層に至る経路の抵抗よりも高く、上記有機層は、コンデンサ成分を有しており、上記有機ＥＬパネルは、上記駆動回路から第３周波数を有する上記駆動電圧を供給されることによって均一な点灯状態とされ、上記均一な点灯状態にある上記有機ＥＬパネルへの上記駆動電圧の供給を上記駆動回路が停止することによって上記有機ＥＬパネルを消灯させる際、上記駆動回路は、上記有機ＥＬパネルを消灯させるための指示信号を受け取った時点から上記第３周波数よりも高い第４周波数を有する上記駆動電圧を上記有機ＥＬパネルに所定の時間の間供給することによって、上記発光面内の上記周縁部側に比べて上記発光面内の上記中央部側の方が早く暗くなるように上記有機ＥＬパネルを消灯させ、上記駆動回路は、上記第４周波数を有する上記駆動電圧を上記有機ＥＬパネルに上記所定の時間の間供給した後、上記有機ＥＬパネルへの上記駆動電圧の供給を停止することによって、上記有機ＥＬパネルを消灯状態とさせる。
【００１０】
好ましくは、上記所定の時間の間、上記駆動回路は、上記第４周波数の周波数値が徐々に高くなるように変化させる。好ましくは、上記駆動回路は、上記駆動波形のデューティを制御するＰＷＭ制御部を含み、上記所定の時間の間、上記ＰＷＭ制御部は、上記駆動波形の上記デューティを変化させる。
【００１１】
好ましくは、上記駆動回路は、上記駆動電圧の電圧値を制御する電圧制御部を含み、上記所定の時間の間、上記電圧制御部は、上記駆動電圧の上記電圧値を変化させる。好ましくは、本発明の他の局面に基づく上記の有機ＥＬ照明装置は、上記駆動回路と複数の上記給電部との間に配置されるスイッチ手段をさらに備え、上記所定の時間の間、上記スイッチ手段は、上記駆動回路と複数のうちの一部の上記給電部との間の電気的接続を切断することによって、上記有機ＥＬパネルに上記駆動電圧を供給する上記給電部の数を減少させる。
【発明の効果】
【００１２】
本発明によれば、たとえば、発光面内の周縁部に比べて発光面内の中央部の方が遅く明るくなるように有機ＥＬパネルを点灯させたり、発光面内の周縁部に比べて発光面内の中央部の方が早く暗くなるように有機ＥＬパネルを消灯させたりするといったように、照明上の特殊な演出効果を発揮することが可能な有機ＥＬ照明装置を得ることができる。
【図面の簡単な説明】
【００１３】
【図１】実施の形態１における有機ＥＬ照明装置の全体的な構成を模式的に示す図である。
【図２】実施の形態１における有機ＥＬ照明装置に用いられる有機ＥＬパネルを示す平面図である。
【図３】図２中のＩＩＩ−ＩＩＩ線に沿った矢視断面図である。
【図４】図２中のＩＶ−ＩＶ線に沿った矢視断面図である。
【図５】実施の形態１における有機ＥＬ照明装置に用いられる有機ＥＬパネルと駆動回路とが互いに接続された状態を模式的に示す図である。
【図６】実施の形態１における有機ＥＬ照明装置に用いられる有機ＥＬパネルに対して駆動回路から供給される駆動電圧と時間との関係を示す図である。
【図７】実施の形態１における有機ＥＬ照明装置に用いられる有機ＥＬパネルの発光部を等価的に示す図である。
【図８】実施の形態１における有機ＥＬ照明装置に用いられる有機ＥＬパネルに対してパルス幅の比較的広い駆動波形を有する電圧を供給した際の、実際に有機ＥＬパネルの発光部内の各位置に印加される駆動電圧と時間との関係を示す図である。
【図９】実施の形態１における有機ＥＬ照明装置に用いられる有機ＥＬパネルに対してパルス幅の比較的狭い駆動波形を有する電圧を供給した際の、実際に有機ＥＬパネルの発光部内の各位置に印加される駆動電圧と時間との関係を示す図である。
【図１０】実施の形態１における有機ＥＬ照明装置に用いられる有機ＥＬパネルを示す他の平面図である。
【図１１】実施の形態１における有機ＥＬ照明装置に用いられる有機ＥＬパネルの発光面内における輝度分布の時間的な変化を示す図である。
【図１２】実施の形態１の第１変形例における有機ＥＬ照明装置に用いられる有機ＥＬパネルに対して駆動回路から供給される駆動電圧と時間との関係を示す図である。
【図１３】実施の形態１の第２変形例における有機ＥＬ照明装置に用いられる有機ＥＬパネルに対して駆動回路から供給される駆動電圧と時間との関係を示す図である。
【図１４】実施の形態１の第２変形例における有機ＥＬ照明装置に用いられる有機ＥＬパネルの発光面内における輝度分布の時間的な変化を示す図である。
【図１５】実施の形態１の第３変形例における有機ＥＬ照明装置の全体的な構成を模式的に示す図である。
【図１６】実施の形態２における有機ＥＬ照明装置の全体的な構成を模式的に示す図である。
【図１７】実施の形態２における有機ＥＬ照明装置に用いられる有機ＥＬパネルに対して駆動回路から供給される駆動電圧と時間との関係を示す図である。
【図１８】実施の形態２における有機ＥＬ照明装置に用いられる有機ＥＬパネルの発光面内における輝度分布の時間的な変化を示す図である。
【図１９】実施の形態２における有機ＥＬ照明装置に用いられる有機ＥＬパネルに対して駆動回路から供給される他の駆動電圧と時間との関係を示す図である。
【図２０】実施の形態２における有機ＥＬ照明装置に用いられる有機ＥＬパネルの発光面内における他の輝度分布の時間的な変化を示す図である。
【図２１】実施の形態３における有機ＥＬ照明装置に用いられる有機ＥＬパネルに対して駆動回路から供給される駆動電圧と時間との関係を示す図である。
【図２２】実施の形態３における有機ＥＬ照明装置に用いられる有機ＥＬパネルの発光面内における輝度分布の時間的な変化を示す図である。
【図２３】実施の形態３の第１変形例における有機ＥＬ照明装置に用いられる有機ＥＬパネルに対して駆動回路から供給される駆動電圧と時間との関係を示す図である。
【図２４】実施の形態３の第１変形例における有機ＥＬ照明装置に用いられる有機ＥＬパネルの発光面内における輝度分布の時間的な変化を示す図である。
【図２５】実施の形態３の第２変形例における有機ＥＬ照明装置に用いられる有機ＥＬパネルに対して駆動回路から供給される駆動電圧と時間との関係を示す図である。
【図２６】実施の形態３の第２変形例における有機ＥＬ照明装置に用いられる有機ＥＬパネルの発光面内における輝度分布の時間的な変化を示す図である。
【図２７】実施の形態３の第３変形例における有機ＥＬ照明装置に用いられる有機ＥＬパネルに対して駆動回路から供給される駆動電圧と時間との関係を示す図である。
【図２８】実施の形態３の第３変形例における有機ＥＬ照明装置に用いられる有機ＥＬパネルの発光面内における輝度分布の時間的な変化を示す図である。
【図２９】実施の形態４における有機ＥＬ照明装置に用いられる有機ＥＬパネルに対して駆動回路から供給される駆動電圧と時間との関係を示す図である。
【図３０】実施の形態４における有機ＥＬ照明装置に用いられる有機ＥＬパネルの発光面内における輝度分布の時間的な変化を示す図である。
【図３１】実施の形態５における有機ＥＬ照明装置の全体的な構成を模式的に示す図である。
【図３２】実施の形態６における有機ＥＬ照明装置の全体的な構成を模式的に示す図である。
【図３３】実施の形態７における有機ＥＬ照明装置の全体的な構成を模式的に示す図である。
【図３４】実施の形態８における有機ＥＬ照明装置の全体的な構成を模式的に示す図である。
【図３５】実施の形態８における有機ＥＬ照明装置に用いられる有機ＥＬパネルに対して駆動回路から供給される駆動電圧と時間との関係、ならびにトランジスタの動作と時間との関係を示す図である。
【図３６】実施の形態８の変形例における有機ＥＬ照明装置に用いられる有機ＥＬパネルに対して駆動回路から供給される駆動電圧と時間との関係、ならびにトランジスタの動作と時間との関係を示す図である。
【発明を実施するための形態】
【００１４】
本発明に基づいた各実施の形態について、以下、図面を参照しながら説明する。各実施の形態の説明において、個数、量などに言及する場合、特に記載がある場合を除き、本発明の範囲は必ずしもその個数、量などに限定されない。各実施の形態の説明において、同一の部品、相当部品に対しては、同一の参照番号を付し、重複する説明は繰り返さない場合がある。
【００１５】
［実施の形態１］
図１を参照して、本実施の形態における有機ＥＬ照明装置１００の全体的な構成について説明する。有機ＥＬ照明装置１００は、有機ＥＬパネル１０と、有機ＥＬパネル１０を駆動するための駆動回路２０と、有機ＥＬパネル１０に電力を供給するための電源３０と、を備える。
【００１６】
図１に示すように、駆動回路２０は、マイコン２１、メモリー２２、トランジスタ２３、および定電圧回路２４を含む。マイコン２１、トランジスタ２３、定電圧回路２４、および有機ＥＬパネル１０は、直列に接続される。トランジスタ２３は、たとえばＦＥＴ（Field  effect  transistor）であり、マイコン２１の出力ポートに接続される。トランジスタ２３は、有機ＥＬパネル１０に流す電流のＯＮ／ＯＦＦを切り換える。
【００１７】
マイコン２１は、操作部４０等の、外部に配置された指示信号入力手段に接続される。マイコン２１は、たとえば、有機ＥＬパネル１０を点灯させるための指示信号（点灯指示信号）、有機ＥＬパネル１０を消灯させるための指示信号（消灯指示信号）、または、有機ＥＬパネル１０の輝度を変化させるための指示信号（調光指示信号）を、操作部４０から受け取る。
【００１８】
マイコン２１は、操作部４０から受け取った指示信号に応じて、メモリー２２内に記憶されている所定のプログラムを実行する。マイコン２１は、トランジスタ２３および定電圧回路２４を当該プログラムの内容に応じて制御する。本実施の形態においては、マイコン２１の制御によって、直流またはパルス状の駆動波形が生成されるとともに、この駆動波形に応じた駆動電圧が駆動回路２０から出力される。駆動回路２０から出力された駆動電圧は、有機ＥＬパネル１０に供給される。
【００１９】
（有機ＥＬパネル１０）
図２〜図４を参照して、有機ＥＬパネル１０について説明する。有機ＥＬパネル１０は、発光面１８を有する。図２は、発光面１８側から見た有機ＥＬパネル１０を示す平面図である。図２においては、透明基板１１が、一点鎖線を用いて透過的に図示されている。図２においては、透明基板１１を通して、陽極１２および有機層１３等が透視されるように図示されている。図３は、図２中のＩＩＩ−ＩＩＩ線に沿った矢視断面図である。図４は、図２中のＩＶ−ＩＶ線に沿った矢視断面図である。
【００２０】
図２〜図４に示すように、有機ＥＬパネル１０は、有機ＥＬを含む発光手段である。有機ＥＬパネル１０は、透明基板１１（カバー層）、陽極１２、有機層１３、陰極１４、絶縁層１５、封止層１６、発光面１８を含む。陽極１２、有機層１３、および陰極１４は、透明基板１１の表面に順次積層される。
【００２１】
透明基板１１は、たとえば各種のガラス基板から構成される。透明基板１１を構成する部材としては、ＰＥＴ（Polyethylene  Terephthalate）またはポリカーボネイト等のフィルム基板が用いられてもよい。発光面１８は、透明基板１１の下面に形成される。
【００２２】
陽極１２は、透明性を有する導電膜である。陽極１２を形成するためには、スパッタリング法等によって、ＩＴＯ（Indium  Tin  Oxide：インジウム錫酸化物）等が透明基板１１上に成膜される。フォトリソグラフィ法等によりＩＴＯ膜が所定の形状にパターニングされることによって、陽極１２が形成される。
【００２３】
有機層１３（発光部）は、電力が供給されることによって光（可視光）を生成することができる。有機層１３は、単層の発光層から構成されていてもよく、正孔輸送層、発光層、正孔阻止層、および電子輸送層などが順次積層されることによって構成されていてもよい。
【００２４】
陰極１４は、たとえばアルミニウム（ＡＬ）である。陰極１４は、真空蒸着法等によって有機層１３を覆うように形成される。陰極１４を所定の形状にパターニングするために、真空蒸着の際にはマスクが用いられるとよい。
【００２５】
絶縁層１５は、陽極１２と陰極１４との間を電気的に絶縁するために設けられる。絶縁層１５は、たとえばスパッタリング法を用いて、陽極１２上および陽極１２の外周付近にＳｉＯ２などが成膜されることによって形成される。陽極１２上および陽極１２の外周付近に成膜された絶縁層１５は、フォトリソグラフィ法等を用いて、陽極１２の外縁（陽極１２と陰極１４とを互いに分離する箇所）を囲うように所望のパターンに形成される。
【００２６】
封止層１６は、絶縁性を有する。封止層１６は、有機層１３を水分等から保護するために形成される。封止層１６は、たとえばガラス基板を用いて、周囲をエポキシ系の光硬化型接着剤で接着させることによって形成される。封止層１６は、陽極１２、有機層１３、および陰極１４の略全体を透明基板１１上に封止する。陽極１２の一部と陰極１４の一部とは、電気的な接続のために、封止層１６から露出している。
【００２７】
陽極１２の封止層１６から露出している部分（図３参照）は、陽極接続部１２Ｌおよび陽極接続部１２Ｒを構成する。陽極接続部１２Ｌ，１２Ｒと陽極１２とは互いに同じ材料で構成される。陽極接続部１２Ｌおよび陽極接続部１２Ｒは、発光面１８の周縁部側に位置するとともに、発光面１８を挟んで相互に反対側に位置している。
【００２８】
陰極１４の封止層１６から露出している部分（図４参照）は、陰極接続部１４Ｌおよび陰極接続部１４Ｒを構成する。陰極接続部１４Ｌ，１４Ｒと陰極１４とは互いに同じ材料で構成される。陰極接続部１４Ｌおよび陰極接続部１４Ｒは、発光面１８の周縁部側に位置するとともに、発光面１８を挟んで相互に反対側に位置している。
【００２９】
以上のように構成される透明基板１１、陽極１２、有機層１３、陰極１４、絶縁層１５、および封止層１６等は、図示しない枠体または筐体などによって保持され、天井または壁面などに固定される。
【００３０】
図５に示すように、有機ＥＬパネル１０と駆動回路２０とが互いに接続された状態においては、陽極接続部１２Ｌの略中央の位置と、陽極接続部１２Ｒ内の略中央の位置とに、駆動回路２０のＯＬＥＤ＋端子が並列に接続される。陽極接続部１２Ｌと駆動回路２０のＯＬＥＤ＋端子とが接続された部分に、給電部１２Ｌ１が形成される。陽極接続部１２Ｒと駆動回路２０のＯＬＥＤ＋端子とが接続された部分に、給電部１２Ｒ１が形成される。
【００３１】
同様に、有機ＥＬパネル１０と駆動回路２０とが互いに接続された状態においては、陰極接続部１４Ｌの略中央の位置と、陰極接続部１４Ｒ内の略中央の位置とに、駆動回路２０のＯＬＥＤ−端子が並列に接続される。陰極接続部１４Ｌと駆動回路２０のＯＬＥＤ−端子とが接続された部分に、給電部１４Ｌ１が形成される。陰極接続部１４Ｒと駆動回路２０のＯＬＥＤ−端子とが接続された部分に、給電部１４Ｒ１が形成される。
【００３２】
有機ＥＬパネル１０としては、駆動回路２０から出力された駆動電圧が給電部１２Ｌ１，１２Ｒ１，１４Ｌ１，１４Ｒ１を通して供給されることによって、有機層１３が発光する。有機層１３において生成された光は、透明基板１１（発光面１８）側から外部に取り出される。図２〜図４においては、透明基板１１の下面の一部の領域に発光面１８が形成されるように図示しているが、実際には、有機層１３において生成された光は、透明基板１１の下面の全体から取り出される。したがって、有機ＥＬパネル１０としては、図２〜図４に示す発光面１８の外周部分からも発光される。
【００３３】
（有機ＥＬ照明装置１００の動作）
図６を参照して、有機ＥＬ照明装置１００の動作について説明する。図６は、有機ＥＬ照明装置１００の有機ＥＬパネル１０が点灯される際の、時間Ｔと、駆動回路２０から有機ＥＬパネル１０に供給される駆動電圧Ｖとの関係を示す図である。
【００３４】
有機ＥＬ照明装置１００においては、消灯状態にある有機ＥＬパネル１０に駆動回路２０が駆動電圧を供給することによって、有機ＥＬパネル１０が点灯される。図６に示すように、Ｔ０≦時間Ｔ＜Ｔ１の際に、有機ＥＬパネル１０が消灯しているとする。この際、駆動回路２０から有機ＥＬパネル１０に供給される駆動電圧Ｖの値は０であり、有機ＥＬパネル１０は消灯状態にある。
【００３５】
有機ＥＬパネル１０が点灯される際、駆動回路２０は、有機ＥＬパネル１０を点灯させるための指示信号を受け取った時点（時間Ｔ＝Ｔ１）から、第１周波数Ｆ１を有する所定の駆動電圧を、有機ＥＬパネル１０に対して所定の時間（Ｔ１≦時間Ｔ＜Ｔ２）の間供給する。Ｔ１≦時間Ｔ＜Ｔ２においては、有機ＥＬパネル１０は遷移状態（詳細は後述する）を形成する。
【００３６】
駆動回路２０は、第１周波数Ｆ１を有する駆動電圧を有機ＥＬパネル１０に上記の所定の時間（Ｔ１≦時間Ｔ＜Ｔ２）の間供給した後、Ｔ２≦時間Ｔからは、第２周波数Ｆ２を有する所定の駆動電圧を有機ＥＬパネル１０に対して供給する。ここで、第２周波数Ｆ２の値は、第１周波数Ｆ１の値よりも低い。
【００３７】
第２周波数Ｆ２はたとえば１００Ｈｚであり、第１周波数Ｆ１はたとえば４５０ＫＨｚである。Ｔ２≦時間Ｔにおいては、第２周波数Ｆ２を有する所定の駆動電圧が有機ＥＬパネル１０に供給されることによって、有機ＥＬパネル１０は、通常の点灯状態を形成し、物体などを所望の明るさで照明することが可能となる。
【００３８】
上述のとおり、有機ＥＬパネル１０（図２など参照）の発光面１８は、陽極１２および陰極１４に挟まれた有機層１３（発光部）を備える。このため、有機ＥＬパネル１０における発光部は、ダイオードとコンデンサーとが互いに並列接続されたものが、所定の方向に沿って複数配列されたものと等価的にみなすことができる。
【００３９】
図７を参照して、ダイオードとコンデンサーとが互いに並列接続されたものをＯＬＥＤ１、ＯＬＥＤ２、、、ＯＬＥＤｎとすると、発光面１８内における有機ＥＬパネル１０の発光部は、図７に示すようにＯＬＥＤ１、ＯＬＥＤ２、、、ＯＬＥＤｎ、、、ＯＬＥＤ２、ＯＬＥＤ１が並列接続されたものとなる。
【００４０】
図７においては、一方向に沿って並ぶＯＬＥＤ１、ＯＬＥＤ２、、、ＯＬＥＤｎ、、、ＯＬＥＤ２、ＯＬＥＤ１のみが図示されている。有機ＥＬ照明装置１００の動作を厳密に説明する上では、２次元方向の分布も考慮する必要があるが、２次元方向の分布も一方向の分布も原理上は同一の特性を有するため、ここでは一方向に沿って並ぶＯＬＥＤ１、ＯＬＥＤ２、、、ＯＬＥＤｎ、、、ＯＬＥＤ２、ＯＬＥＤ１に基づき、有機ＥＬ照明装置１００の動作について以下説明するものとする。加えて、ＩＴＯなどから構成される陽極１２の抵抗に比べてＡｇなどから構成される陰極１４の抵抗は極めて小さいため、図７においては、陰極１４の抵抗については記載していない。
【００４１】
図７に示す等価回路に対して、駆動回路２０からパルス状の駆動電圧を供給したとする。図８（Ａ）は、時間Ｔ＝ＴＡの際に閾値電圧Ｖ１よりも高い所定の電圧をＯＬＥＤ１に対して供給した場合の、ＯＬＥＤ１に実際に印加される駆動電圧Ｖと時間Ｔとの関係（電圧波形）を模式的に示す図である。
【００４２】
図８（Ａ）に示すように、発光面１８の周縁部に最も近いＯＬＥＤ１においては、陽極１２の陽極抵抗の影響および発光部におけるコンデンサ成分の影響をほとんど受けることがないため、時間Ｔ＝ＴＡの際に所定の電圧が供給された場合、その供給とほぼ同時（時間Ｔ＝ＴＡ）に、駆動電圧Ｖ２（Ｖ２＞Ｖ１）がＯＬＥＤ１に印加される。時間Ｔ＝ＴＢの際に電圧の供給を停止した場合、その停止とほぼ同時（時間Ｔ＝ＴＢ）に、ＯＬＥＤ１に印加される駆動電圧は０となる。
【００４３】
図８（Ｂ）は、時間Ｔ＝ＴＡの際に閾値電圧Ｖ１よりも高い所定の電圧をＯＬＥＤ２に対して供給した場合の、ＯＬＥＤ２に実際に印加される駆動電圧Ｖと時間Ｔとの関係（電圧波形）を模式的に示す図である。
【００４４】
図８（Ｂ）に示すように、発光面１８の周縁部から離れたＯＬＥＤ２においては、陽極１２の陽極抵抗の影響および発光部におけるコンデンサ成分の影響を受けることによって、時間Ｔ＝ＴＡの際に所定の電圧が供給された場合、時間Ｔ＝ＴＡ１（ＴＡ＜ＴＡ１）の際に、駆動電圧Ｖ２（Ｖ２＞Ｖ１）がＯＬＥＤ２に印加される。時間Ｔ＝ＴＢの際に電圧の供給を停止した場合、時間Ｔ＝ＴＢ１（ＴＢ＜ＴＢ１）の際に、ＯＬＥＤ２に印加される駆動電圧は０となる。
【００４５】
図８（Ｃ）は、時間Ｔ＝ＴＡの際に閾値電圧Ｖ１よりも高い所定の電圧をＯＬＥＤｎに対して供給した場合の、ＯＬＥＤｎに実際に印加される駆動電圧Ｖと時間Ｔとの関係（電圧波形）を模式的に示す図である。
【００４６】
図８（Ｃ）に示すように、発光面１８の略中央に位置するＯＬＥＤｎにおいては、陽極１２の陽極抵抗の影響および発光部におけるコンデンサ成分の影響を多く受けることによって、時間Ｔ＝ＴＡの際に所定の電圧が供給された場合、時間Ｔ＝ＴＡ２（ＴＡ＜ＴＡ１＜ＴＡ２）の際に、駆動電圧Ｖ２（Ｖ２＞Ｖ１）がＯＬＥＤｎに印加される。時間Ｔ＝ＴＢの際に電圧の供給を停止した場合、時間Ｔ＝ＴＢ２（ＴＢ＜ＴＢ１＜ＴＢ２）の際に、ＯＬＥＤｎに印加される駆動電圧は０となる。
【００４７】
図８（Ａ）、図８（Ｂ）、および図８（Ｃ）に示すように、パルス状の駆動電圧が供給された有機ＥＬパネル１０の発光面１８内における電圧波形としては、給電部１２Ｌ１，１２Ｒ１，１４Ｌ１，１４Ｒ１（図５参照）から離れるにつれて、なまったものとなる。
【００４８】
図８（Ｃ）に示すように、ここでは、ＴＡ≦時間Ｔ＜ＴＢの間に有機ＥＬパネル１０に供給される電圧に対してＯＬＥＤｎに実際に印加される駆動電圧が閾値電圧Ｖ１よりも高くなるように、駆動電圧のパルス幅（時間ＴＡと時間ＴＢとの間の時間差）が設定されている。ＯＬＥＤｎに印加される駆動電圧の電圧波形はなまったものとなっているが、ＯＬＥＤｎに実際に印加される駆動電圧が閾値電圧Ｖ１を超えている間は、ＯＬＥＤｎは、ＯＬＥＤ１およびＯＬＥＤ２と同様の明るさ（輝度）で発光することとなる。
【００４９】
一方で、図７に示す等価回路に対して、駆動回路２０から、パルス幅が図８（Ａ）、図８（Ｂ）、および図８（Ｃ）に示す場合よりも狭いパルス状の駆動電圧を供給したとする。図９（Ａ）は、時間Ｔ＝ＴＣの際に閾値電圧Ｖ１よりも高い所定の電圧をＯＬＥＤ１に対して供給した場合の、ＯＬＥＤ１に実際に印加される駆動電圧Ｖと時間Ｔとの関係（電圧波形）を模式的に示す図である。
【００５０】
図９（Ａ）に示すように、発光面１８の周縁部に最も近いＯＬＥＤ１においては、陽極１２の陽極抵抗の影響および発光部におけるコンデンサ成分の影響をほとんど受けることがないため、時間Ｔ＝ＴＣの際に所定の電圧が供給された場合、その供給とほぼ同時（時間Ｔ＝ＴＣ）に、駆動電圧Ｖ２（Ｖ２＞Ｖ１）がＯＬＥＤ１に印加される。時間Ｔ＝ＴＤの際に電圧の供給を停止した場合、その停止とほぼ同時（時間Ｔ＝ＴＤ）に、ＯＬＥＤ１に印加される駆動電圧は０となる。
【００５１】
図９（Ｂ）は、時間Ｔ＝ＴＣの際に閾値電圧Ｖ１よりも高い所定の電圧をＯＬＥＤ２に対して供給した場合の、ＯＬＥＤ２に実際に印加される駆動電圧Ｖと時間Ｔとの関係（電圧波形）を模式的に示す図である。
【００５２】
図９（Ｂ）に示すように、発光面１８の周縁部から離れたＯＬＥＤ２においては、陽極１２の陽極抵抗の影響および発光部におけるコンデンサ成分の影響を受けることによって、時間Ｔ＝ＴＣの際に所定の電圧が供給された場合、時間Ｔ＝ＴＣ１（ＴＣ＜ＴＣ１）の際に、駆動電圧Ｖ２（Ｖ２＞Ｖ１）がＯＬＥＤ２に印加される。時間Ｔ＝ＴＤの際に電圧の供給を停止した場合、時間Ｔ＝ＴＤ１（ＴＤ＜ＴＤ１）の際に、ＯＬＥＤ２に印加される駆動電圧は０となる。
【００５３】
図９（Ｃ）は、時間Ｔ＝ＴＣの際に閾値電圧Ｖ１よりも高い所定の電圧をＯＬＥＤｎに対して供給した場合の、ＯＬＥＤｎに実際に印加される駆動電圧Ｖと時間Ｔとの関係（電圧波形）を模式的に示す図である。
【００５４】
図９（Ｃ）に示すように、発光面１８の略中央に位置するＯＬＥＤｎにおいては、陽極１２の陽極抵抗の影響および発光部におけるコンデンサ成分の影響を多く受けることによって、時間Ｔ＝ＴＣの際に所定の電圧が供給された場合、時間Ｔ＝ＴＣ２（ＴＣ＜ＴＣ１＜ＴＣ２）の際に、駆動電圧Ｖ３（Ｖ２＞Ｖ３＞Ｖ１）がＯＬＥＤｎに印加される。時間Ｔ＝ＴＤの際に電圧の供給を停止した場合、時間Ｔ＝ＴＤ２（ＴＤ＜ＴＤ１＜ＴＤ２）の際に、ＯＬＥＤｎに印加される駆動電圧は０となる。
【００５５】
図９（Ａ）、図９（Ｂ）、および図９（Ｃ）に示すように、比較的狭いパルス幅を有するパルス状の駆動電圧が供給された有機ＥＬパネル１０の発光面１８内における電圧波形としても、給電部１２Ｌ１，１２Ｒ１，１４Ｌ１，１４Ｒ１（図５参照）から離れるにつれて、なまったものとなる。
【００５６】
さらに、図９（Ｃ）に示す場合においては、ＯＬＥＤｎに実際に印加される駆動電圧が閾値電圧Ｖ１を超えている時間は、図８（Ｃ）の場合に比べて短い。図９（Ｃ）に示す場合のＯＬＥＤｎは、ＯＬＥＤ１およびＯＬＥＤ２に比べて暗い明るさ（輝度）で発光することとなる。このように、狭いパルス幅では、発光面１８内において輝度分布が生じる割合が高くなる。
【００５７】
本実施の形態の有機ＥＬ照明装置１００は、この原理を利用する。有機ＥＬパネル１０に対して通常の点灯状態（図６参照）を形成させる際には、図８（Ａ）、図８（Ｂ）、および図８（Ｃ）に示すような比較的広いパルス幅を有する第２周波数Ｆ２（図６参照）の駆動電圧が、有機ＥＬパネル１０に対して供給される。点灯状態においては、有機ＥＬパネル１０は発光面１８が均一に発光するように点灯する。
【００５８】
一方、有機ＥＬ照明装置１００は、有機ＥＬパネル１０を消灯状態から点灯状態に遷移させる際には（遷移状態の際には）、図９（Ａ）、図９（Ｂ）、および図９（Ｃ）に示すような比較的狭いパルス幅を有する第１周波数Ｆ１（図６参照）の駆動電圧が、有機ＥＬパネル１０に対して供給される。上述のとおり、第１周波数Ｆ１の値は、第２周波数Ｆ２の値よりも高い。すなわち、遷移状態においては、図９（Ａ）、図９（Ｂ）、および図９（Ｃ）に示すような輝度分布が生じるような第１周波数Ｆ１を有する駆動電圧が、有機ＥＬパネル１０に対して供給される。
【００５９】
図１０および図１１に示すように、有機ＥＬパネル１０の発光面１８内におけるＸ−Ｘ線上に沿った位置Ｘ１および位置Ｘ２の間の輝度分布は、消灯状態（Ｔ０≦時間Ｔ＜Ｔ１）においては輝度Ｌ＝０で均一となる。遷移状態（Ｔ１≦時間Ｔ＜Ｔ２）においては、発光面１８の周縁部に比べて、発光面１８の中央部の方が暗くなる。点灯状態（Ｔ２≦時間Ｔ）においては所定の輝度で均一となる。ここで、遷移状態（Ｔ１≦時間Ｔ＜Ｔ２）の時間間隔としては、たとえば、１秒≦（Ｔ２−Ｔ１）≦１０秒程度であることが好ましい。
【００６０】
（作用・効果）
以上説明したように、有機ＥＬ照明装置１００においては、有機ＥＬパネル１０が点灯されるにあたって有機ＥＬパネル１０が消灯状態、遷移状態、および点灯状態を順次形成することによって、発光面１８内の周縁部に比べて発光面１８内の中央部の方が遅く明るくなる。したがって、有機ＥＬ照明装置１００によれば、照明上の特殊な演出効果を発揮することが可能となる。
【００６１】
なお、本実施の形態においては、点灯状態（Ｔ２≦時間Ｔ）の際に有機ＥＬパネル１０が均一に発光するように駆動されるが、点灯状態（Ｔ２≦時間Ｔ）の際に、有機ＥＬパネル１０は必ずしも均一に発光していなくてもよく、実質的に均一に近い状態で発光していてもよく、多少の輝度ムラが存在する状態で発光していてもよい。
【００６２】
（第１変形例）
図６を参照して上述したように、実施の形態１においては、遷移状態の際に有機ＥＬパネル１０に供給される駆動電圧の第１周波数Ｆ１の値は、点灯状態の際に有機ＥＬパネル１０に供給される駆動電圧の第２周波数Ｆ２の値よりも高くなるように設定される。
【００６３】
図１２に示すように、点灯状態の際に有機ＥＬパネル１０に供給される駆動電圧としては、直流に応じた駆動電圧が有機ＥＬパネル１０に供給されてもよい。この場合も、第１周波数Ｆ１の値は、第２周波数Ｆ２（周波数＝０）の値よりも高くなる。すなわち、第１周波数Ｆ１の値が第２周波数Ｆ２の値よりも高い場合には、点灯状態の際に、直流に応じた駆動電圧が有機ＥＬパネル１０に供給される場合が含まれるものである。
【００６４】
本変形例における有機ＥＬ照明装置においても、有機ＥＬパネル１０が点灯されるにあたって有機ＥＬパネル１０が消灯状態、遷移状態、および点灯状態を順次形成することによって、発光面１８内の周縁部に比べて発光面１８内の中央部の方が遅く明るくなる。したがって、本変形例における有機ＥＬ照明装置によっても、照明上の特殊な演出効果を発揮することが可能となる。
【００６５】
（第２変形例）
図１３に示すように、本変形例の遷移状態においては、有機ＥＬパネル１０を点灯させるための指示信号を受け取った時点（時間Ｔ＝Ｔ１）から、駆動回路２０は、第１周波数Ｆ１Ａ，Ｆ１Ｂ，Ｆ１Ｃを有する所定の駆動電圧を、有機ＥＬパネル１０に対して所定の時間（Ｔ１≦時間Ｔ＜Ｔ２）の間に順次供給する。本変形例の駆動回路２０は、第１周波数Ｆ１Ａ，Ｆ１Ｂ，Ｆ１Ｃの各周波数値が、順に低くなるように変化させる。
【００６６】
Ｔ１≦時間Ｔ＜Ｔ１Ａの間に、駆動回路２０は、第１周波数Ｆ１Ａを有する駆動電圧を有機ＥＬパネル１０に対して供給する。次に、Ｔ１Ａ≦時間Ｔ＜Ｔ１Ｂの間に、駆動回路２０は、第１周波数Ｆ１Ｂを有する駆動電圧を有機ＥＬパネル１０に対して供給する。ここで、第１周波数Ｆ１Ｂの値は、第１周波数Ｆ１Ａの値よりも低い。第１周波数Ｆ１Ａはたとえば５００ＫＨｚであり、第１周波数Ｆ１Ｂはたとえば４５０ＫＨｚである。
【００６７】
第１周波数Ｆ１Ａよりも低い第１周波数Ｆ１Ｂを有する駆動電圧が有機ＥＬパネル１０に対して供給されることによって、発光面１８内における輝度分布は緩和される方向（発光面１８の全体としての輝度が均一に近づく方向）に変化する。
【００６８】
その後、Ｔ１Ｂ≦時間Ｔ＜Ｔ２の間に、駆動回路２０は、第１周波数Ｆ１Ｃを有する駆動電圧を有機ＥＬパネル１０に対して供給する。第１周波数Ｆ１Ｃの値は、第１周波数Ｆ１Ｂの値よりも低い。第１周波数Ｆ１Ｃは、たとえば１００Ｈｚである。この場合、波形なまりは発光面１８の輝度に影響を与えない程度であるため、発光面１８内はほぼ均一に発光する。１００Ｈｚ程度の周波数であれば、駆動回路２０においてスイッチングロスが発生することも少なく、使用者がフリッカを感じることもほとんどない。
【００６９】
Ｔ２≦時間Ｔにおいては、第２周波数Ｆ２を有する所定の駆動電圧（ここでは直流）が有機ＥＬパネル１０に供給されることによって、有機ＥＬパネル１０は、通常の点灯状態を形成する。
【００７０】
図１４に示すように、本変形例の有機ＥＬパネル１０は、Ｔ０≦時間Ｔ＜Ｔ１の消灯状態から、Ｔ１≦時間Ｔ＜Ｔ１Ａ、Ｔ１Ａ≦時間Ｔ＜Ｔ１Ｂ、およびＴ１Ｂ≦時間Ｔ＜Ｔ２の３段階の輝度変化を含む遷移状態を経て、Ｔ２≦時間Ｔの点灯状態を形成する。
【００７１】
遷移状態において複数の輝度変化が得られることによって、本変形例の有機ＥＬパネル１０は、発光面１８内の周縁部に比べて発光面１８内の中央部の方を遅く明るくさせる際に（消灯状態から点灯状態に遷移する遷移状態の際に）、滑らかに輝度を変化させることができる。したがって、本変形例の有機ＥＬ照明装置によれば、照明上のより品質の高い演出効果を発揮することが可能となる。
【００７２】
（第３変形例）
図１５に示すように、本変形例における有機ＥＬ照明装置１０１は、有機ＥＬパネル１０の陽極１２（アノード）および陰極１４（カソード）をショートするためのトランジスタ２５をさらに備える。トランジスタ２５は、たとえばＦＥＴ（Field  effect  transistor）であり、有機ＥＬパネル１０の陽極１２および陰極１４に対してそれぞれ接続される。
【００７３】
図７〜図９を参照して上述したように、有機ＥＬパネル１０にパルス状の駆動電圧を供給すると、有機ＥＬパネル１０の陽極１２の陽極抵抗の影響および発光部におけるコンデンサ成分の影響を受けることによって、有機ＥＬパネル１０における電圧波形がなまる。上述の実施の形態１の有機ＥＬ照明装置１００に用いられる駆動回路２０（図１参照）においては、有機ＥＬパネル１０と直列接続されたトランジスタ２３をＯＮまたはＯＦＦすることによって、有機ＥＬパネル１０に対してパルス状の駆動電圧が供給される。
【００７４】
上述の実施の形態１の有機ＥＬ照明装置１００の有機ＥＬパネル１０においては、トランジスタ２３がＯＮからＯＦＦに切り換えられた場合であっても、有機ＥＬパネル１０のコンデンサ成分の影響によって駆動電圧は十分に放電されず、有機ＥＬパネル１０に供給された駆動電圧は、発光開始電圧（閾値電圧）付近で保持されてしまう。
【００７５】
そのため、上述の実施の形態１の有機ＥＬパネル１０においては、次にトランジスタ２３をＯＮにした場合、発光開始電圧（閾値電圧）付近の電圧値を起点とする波形なまりに基づいて、発光面１８内の周縁部に比べて発光面１８内の中央部の方が遅く明るくなるという照明上の演出が行なわれる。
【００７６】
これに対して本変形例においては、トランジスタ２３がＯＮからＯＦＦに切り換えられた場合に、トランジスタ２５の動作によって、有機ＥＬパネル１０のコンデンサ成分として残留している駆動電圧が０に戻される。トランジスタ２５は、トランジスタ２３と交互にＯＮになることによって、トランジスタ２３がＯＦＦのときに、有機ＥＬパネル１０のコンデンサ成分に充電された電荷を放電する。
【００７７】
トランジスタ２５の動作によって、トランジスタ２３がＯＮからＯＦＦに切り換えられた場合であっても、有機ＥＬパネル１０の両端における電圧は０になる。本変形例の有機ＥＬパネル１０においては、次にトランジスタ２３をＯＮにした場合、０の電圧値を起点とする波形なまりに基づいて、発光面１８内の周縁部に比べて発光面１８内の中央部の方が遅く明るくなるという照明上の演出が行なわれる。
【００７８】
したがって本変形例の有機ＥＬ照明装置１０１によれば、上述の実施の形態１の有機ＥＬ照明装置１００に比べて、遷移状態の際に発光面１８内に輝度ムラが多く形成されるため、照明上のより際立った演出効果を発揮することが可能となる。
【００７９】
［実施の形態２］
図１６に示す有機ＥＬ照明装置１０２のように、駆動回路２０は、ＰＷＭ制御部２１Ａ（ＰＷＭ：Pulse  Width  Modulation）、およびまたは、電圧制御部２４Ａを含んでいてもよい。換言すると、駆動回路２０には、ＰＷＭ制御部２１Ａのみが含まれていてもよく、電圧制御部２４Ａのみが含まれていてもよい。
【００８０】
駆動回路２０にＰＷＭ制御部２１Ａが含まれる場合、ＰＷＭ制御部２１Ａは、マイコン２１内に設けられるとよい。駆動回路２０に電圧制御部２４Ａが含まれる場合、電圧制御部２４Ａは、定電圧回路２４内に設けられるとよい。有機ＥＬ照明装置１０２には、上述のトランジスタ２５（図１５参照）がさらに設けられていてもよい。
【００８１】
図１７および図１８を参照して、駆動回路２０がＰＷＭ制御部２１Ａを含む場合、ＰＷＭ制御部２１Ａは、遷移状態の際に有機ＥＬパネル１０に供給する駆動電圧（駆動波形）のデューティを制御する。本実施の形態におけるＰＷＭ制御部２１Ａは、Ｔ１≦Ｔ＜Ｔ１Ｃの際はデューティを５０％に設定し、Ｔ１Ｃ≦Ｔ＜Ｔ２の際はデューティを７５％に設定する。
【００８２】
Ｔ１Ｂ≦Ｔ＜Ｔ１Ｃの際に比べてＴ１Ｃ≦Ｔ＜Ｔ２の際の方が、発光面１８内の全体としての輝度が明るくなる。発光面１８内の周縁部に比べて発光面１８内の中央部の方を遅く明るくさせる際に（消灯状態から点灯状態に遷移する遷移状態の際に）、滑らかに輝度を変化させることが可能となる。
【００８３】
図１９および図２０を参照して、駆動回路２０が電圧制御部２４Ａを含む場合、電圧制御部２４Ａは、遷移状態の際に有機ＥＬパネル１０に供給する駆動電圧の電圧値を制御する。本実施の形態における電圧制御部２４Ａは、Ｔ１≦Ｔ＜Ｔ１Ａの際は駆動電圧を電圧値ＶＡに設定し、Ｔ１Ａ≦Ｔ＜Ｔ２の際は駆動電圧を電圧値ＶＢに設定する。電圧値ＶＡは、電圧値ＶＢの約半分の値である。
【００８４】
Ｔ１≦Ｔ＜Ｔ１ＡからＴ１Ａ≦Ｔ＜Ｔ１Ｂに遷移する際、駆動電圧を上記のように変化させることによって、発光面１８内においては輝度ムラが多く形成される。当該構成によれば、照明上のより際立った演出効果を発揮することが可能となる。
【００８５】
［実施の形態３］
上述の各実施の形態および各変形例においては、有機ＥＬパネル１０が点灯される際の動作について説明した。本実施の形態における有機ＥＬ照明装置によれば、有機ＥＬパネル１０が消灯される際に、発光面１８内の周縁部に比べて発光面１８内の中央部の方が早く暗くなるように有機ＥＬパネルを消灯させたりするといった、照明上の特殊な演出効果を発揮することができる。
【００８６】
図２１および図２２を参照して、具体的には、有機ＥＬパネル１０は、Ｔ３≦時間Ｔ＜Ｔ４の際に、第３周波数Ｆ３を有する所定の駆動電圧が供給されることによって、通常の点灯状態を形成している。
【００８７】
有機ＥＬパネル１０が消灯される際、駆動回路２０は、有機ＥＬパネル１０を消灯させるための指示信号を受け取った時点（時間Ｔ＝Ｔ４）から、第４周波数Ｆ４を有する所定の駆動電圧を、有機ＥＬパネル１０に対して所定の時間（Ｔ４≦時間Ｔ＜Ｔ５）の間供給する。
【００８８】
ここで、第４周波数Ｆ４の値は、第３周波数Ｆ３の値よりも高い。第３周波数Ｆ３はたとえば１００Ｈｚであり、第４周波数Ｆ４はたとえば４５０ＫＨｚである。Ｔ４≦時間Ｔ＜Ｔ５においては、有機ＥＬパネル１０は遷移状態を形成する。
【００８９】
駆動回路２０は、第４周波数Ｆ４を有する駆動電圧を有機ＥＬパネル１０に上記の所定の時間（Ｔ４≦時間Ｔ＜Ｔ５）の間供給した後、Ｔ５≦時間Ｔからは、有機ＥＬパネル１０への駆動電圧の供給を停止する。有機ＥＬパネル１０は、消灯状態を形成する。
【００９０】
本実施の形態の有機ＥＬ照明装置は、有機ＥＬパネル１０に対して通常の点灯状態（図２１参照）を形成させる際には、上述の図８（Ａ）、図８（Ｂ）、および図８（Ｃ）に示すような比較的広いパルス幅を有する第３周波数Ｆ３（図２１参照）の駆動電圧が、有機ＥＬパネル１０に対して供給される。点灯状態においては、有機ＥＬパネル１０は発光面１８が均一に発光するように点灯する。
【００９１】
一方、本実施の形態の有機ＥＬ照明装置は、有機ＥＬパネル１０を点灯状態から消灯状態に遷移させる際には（遷移状態の際には）、上述の図９（Ａ）、図９（Ｂ）、および図９（Ｃ）に示すような比較的狭いパルス幅を有する第４周波数Ｆ４（図２１参照）の駆動電圧が、有機ＥＬパネル１０に対して供給される。上述のとおり、第４周波数Ｆ４の値は、第３周波数Ｆ３の値よりも高い。すなわち、遷移状態においては、図９（Ａ）、図９（Ｂ）、および図９（Ｃ）に示すような輝度分布が生じるような第４周波数Ｆ４を有する駆動電圧が有機ＥＬパネル１０に対して供給される。
【００９２】
図２２に示すように、位置Ｘ１および位置Ｘ２の間の輝度分布は、点灯状態（Ｔ３≦時間Ｔ＜Ｔ４）においては所定の輝度で均一となる。遷移状態（Ｔ４≦時間Ｔ＜Ｔ５）においては、発光面１８内の周縁部に比べて、発光面１８の中央部内の方が暗くなる。消灯状態（Ｔ５≦時間Ｔ）においては、輝度Ｌ＝０となる。
【００９３】
（作用・効果）
以上説明したように、本実施の形態の有機ＥＬ照明装置においては、有機ＥＬパネル１０が消灯されるにあたって有機ＥＬパネル１０が点灯状態、遷移状態、および消灯状態を順次形成することによって、発光面１８の周縁部内に比べて発光面１８の中央部内の方が早く暗くなる。したがって、本実施の形態の有機ＥＬ照明装置によっても、照明上の特殊な演出効果を発揮することが可能となる。
【００９４】
（第１変形例）
図２３に示すように、本変形例の遷移状態においては、有機ＥＬパネル１０を消灯させるための指示信号を受け取った時点（時間Ｔ＝Ｔ４）から、駆動回路２０は、第４周波数Ｆ４Ａ，Ｆ４Ｂ，Ｆ４Ｃを有する所定の駆動電圧を、有機ＥＬパネル１０に対して所定の時間（Ｔ４≦時間Ｔ＜Ｔ５）の間に順次供給する。本変形例の駆動回路２０は、第４周波数Ｆ４Ａ，Ｆ４Ｂ，Ｆ４Ｃの各周波数値が、順に高くなるように変化させる。
【００９５】
Ｔ４≦時間Ｔ＜Ｔ４Ａの間に、駆動回路２０は、第４周波数Ｆ４Ａを有する駆動電圧を有機ＥＬパネル１０に対して供給する。次に、Ｔ４Ａ≦時間Ｔ＜Ｔ４Ｂの間に、駆動回路２０は、第４周波数Ｆ４Ｂを有する駆動電圧を有機ＥＬパネル１０に対して供給する。ここで、第４周波数Ｆ４Ｂの値は、第４周波数Ｆ４Ａの値よりも高い。第４周波数Ｆ４Ａはたとえば１００Ｈｚであり、第４周波数Ｆ４Ｂはたとえば４５０ＫＨｚである。
【００９６】
その後、Ｔ４Ｂ≦時間Ｔ＜Ｔ５の間に、駆動回路２０は、第４周波数Ｆ４Ｃを有する駆動電圧を有機ＥＬパネル１０に対して供給する。第４周波数Ｆ４Ｃの値は、第４周波数Ｆ４Ｂの値よりも高い。第４周波数Ｆ４Ｃは、たとえば５００ＫＨｚである。
【００９７】
駆動回路２０は、第４周波数Ｆ４Ｃを有する駆動電圧を有機ＥＬパネル１０に上記の所定の時間（Ｔ４Ｂ≦時間Ｔ＜Ｔ５）の間供給した後、Ｔ５≦時間Ｔからは、有機ＥＬパネル１０への駆動電圧の供給を停止する。有機ＥＬパネル１０は、消灯状態を形成する。
【００９８】
図２４に示すように、本変形例の有機ＥＬパネル１０は、Ｔ３≦時間Ｔ＜Ｔ４の点灯状態から、Ｔ４≦時間Ｔ＜Ｔ４Ａ、Ｔ４Ａ≦時間Ｔ＜Ｔ４Ｂ、およびＴ４Ｂ≦時間Ｔ＜Ｔ５の３段階の輝度変化を含む遷移状態を経て、Ｔ５≦時間Ｔの消灯状態を形成する。
【００９９】
遷移状態において複数の輝度変化が得られることによって、本変形例の有機ＥＬパネル１０は、発光面１８内の周縁部に比べて発光面１８内の中央部の方を早く暗くさせる際に（点灯状態から消灯状態に遷移する遷移状態の際に）、滑らかに輝度を変化させることができる。したがって、本変形例の有機ＥＬ照明装置によれば、照明上のより品質の高い演出効果を発揮することが可能となる。
【０１００】
（第２変形例）
図２５および図２６を参照して、駆動回路２０がＰＷＭ制御部２１Ａ（図１６参照）を含む場合、ＰＷＭ制御部２１Ａは、遷移状態の際に有機ＥＬパネル１０に供給する駆動電圧（駆動波形）のデューティを制御する。本変形例におけるＰＷＭ制御部２１Ａは、Ｔ４≦Ｔ＜Ｔ４Ａの際はデューティを７５％に設定し、Ｔ４Ａ≦Ｔ＜Ｔ５の際はデューティを５０％に設定する。
【０１０１】
Ｔ４≦Ｔ＜Ｔ４Ａの際に比べてＴ４Ａ≦Ｔ＜Ｔ４Ｂの際の方が、発光面１８内の全体としての輝度が暗くなる。発光面１８内の周縁部に比べて発光面１８内の中央部の方を早く暗くさせる際に（点灯状態から消灯状態に遷移する遷移状態の際に）、滑らかに輝度を変化させることが可能となる。
【０１０２】
（第３変形例）
図２７および図２８を参照して、駆動回路２０が電圧制御部２４Ａ（図１６参照）を含む場合、電圧制御部２４Ａは、遷移状態の際に有機ＥＬパネル１０に供給する駆動電圧の電圧値を制御する。本変形例における電圧制御部２４Ａは、Ｔ４≦Ｔ＜Ｔ４Ｃの際は駆動電圧を電圧値ＶＢに設定し、Ｔ４Ｃ≦Ｔ＜Ｔ５の際は駆動電圧を電圧値ＶＡに設定する。電圧値ＶＡは、電圧値ＶＢの約半分の値である。
【０１０３】
Ｔ４Ｂ≦Ｔ＜Ｔ４ＣからＴ４Ｃ≦Ｔ＜Ｔ５に遷移する際、駆動電圧を上記のように変化させることによって、発光面１８内においては輝度ムラが多く形成される。照明上のより際立った演出効果を発揮することが可能となる。
【０１０４】
［実施の形態４］
上述の実施の形態１，２および各変形例においては、有機ＥＬパネル１０が点灯される際の動作について説明した。上述の実施の形態３および各変形例においては、有機ＥＬパネル１０が消灯される際の動作について説明した。
【０１０５】
本実施の形態における有機ＥＬ照明装置は、有機ＥＬパネル１０の輝度が変化される際に（有機ＥＬパネル１０が調光される際に）、発光面１８内の周縁部に比べて発光面１８内の中央部の方が遅く明るくなるように有機ＥＬパネルを調光させたりするといった、照明上の特殊な演出効果を発揮する。
【０１０６】
図２９および図３０を参照して、具体的には、有機ＥＬパネル１０は、Ｔ６≦時間Ｔ＜Ｔ７の際に、デューティが２５％である第６周波数Ｆ６を有する所定の駆動電圧が供給されることによって、輝度が２５％である点灯状態を形成している。
【０１０７】
輝度が２５％から７５％にまで上昇するように有機ＥＬパネル１０が調光される際、駆動回路２０は、有機ＥＬパネル１０を調光させるための指示信号を受け取った時点（時間Ｔ＝Ｔ７）から、第７周波数Ｆ７Ａ，Ｆ７Ｂ，Ｆ７Ｃを有する所定の駆動電圧を、有機ＥＬパネル１０に対して所定の時間（Ｔ７≦時間Ｔ＜Ｔ８）の間に順に供給する。本実施の形態の駆動回路２０は、第７周波数Ｆ７Ａ，Ｆ７Ｂ，Ｆ７Ｃの各デューティおよび各周波数値を以下のように変化させる。
【０１０８】
Ｔ７≦時間Ｔ＜Ｔ７Ａの間に、駆動回路２０は、第７周波数Ｆ７Ａを有する駆動電圧を有機ＥＬパネル１０に対して供給する。ここで、第６周波数Ｆ６の周波数値はたとえば１００Ｈｚであり、第６周波数Ｆ６のデューティはたとえば２５％である。第７周波数Ｆ７Ａの周波数値はたとえば５００ＫＨｚであり、第７周波数Ｆ７Ａのデューティはたとえば４０％である。
【０１０９】
次に、Ｔ７Ａ≦時間Ｔ＜Ｔ７Ｂの間に、駆動回路２０は、第７周波数Ｆ７Ｂを有する駆動電圧を有機ＥＬパネル１０に対して供給する。第７周波数Ｆ７Ｂの周波数値はたとえば４５０ＫＨｚであり、第７周波数Ｆ７Ｂのデューティはたとえば４０％である。
【０１１０】
その後、Ｔ７Ｂ≦時間Ｔ＜Ｔ８の間に、駆動回路２０は、第７周波数Ｆ７Ｃを有する駆動電圧を有機ＥＬパネル１０に対して供給する。第７周波数Ｆ７Ｃの周波数値はたとえば１００Ｈｚであり、第７周波数Ｆ７Ｃのデューティはたとえば５０％である。
【０１１１】
駆動回路２０は、第７周波数Ｆ７Ｃを有する駆動電圧を有機ＥＬパネル１０に上記の所定の時間（Ｔ７Ｂ≦時間Ｔ＜Ｔ８）の間供給した後、Ｔ８≦時間Ｔからは、第８周波数Ｆ８を有する駆動電圧を有機ＥＬパネル１０に対して供給する。第８周波数Ｆ８の周波数値はたとえば１００Ｈｚであり、第８周波数Ｆ８のデューティはたとえば７５％である。
【０１１２】
図３０に示すように、本実施の形態の有機ＥＬパネル１０は、Ｔ６≦時間Ｔ＜Ｔ７の点灯状態から、Ｔ７≦時間Ｔ＜Ｔ７Ａ、Ｔ７Ａ≦時間Ｔ＜Ｔ７Ｂ、およびＴ７Ｂ≦時間Ｔ＜Ｔ８の３段階の輝度変化を含む遷移状態を経て、Ｔ８≦時間Ｔの点灯状態を形成する。有機ＥＬパネル１０の輝度は、Ｔ６≦時間Ｔ＜Ｔ７の点灯状態に比べて、Ｔ８≦時間Ｔの点灯状態の方が明るい。
【０１１３】
本変形例の有機ＥＬパネル１０は、点灯状態からこの点灯状態よりも明るい点灯状態に遷移する遷移状態の際に、発光面１８内の周縁部に比べて発光面１８内の中央部の方を遅く明るくさせることが可能になる。本変形例の有機ＥＬパネル１０は、遷移状態において複数の輝度変化が得られることによって、滑らかに輝度を変化させることもできる。したがって、本変形例の有機ＥＬ照明装置によっても、照明上のより品質の高い演出効果を発揮することが可能となる。
【０１１４】
本実施の形態の有機ＥＬ照明装置においては、上述の逆の順序で有機ＥＬパネル１０が調光されてもよい。その構成によれば、点灯状態からこの点灯状態よりも暗い点灯状態に遷移する際に、発光面１８内の周縁部に比べて発光面１８内の中央部の方を早く暗くさせることができるとともに、滑らかに輝度を変化させることができる。当該構成によっても、照明上のより品質の高い演出効果を発揮することが可能となる。
【０１１５】
［実施の形態５］
図３１を参照して、本実施の形態における有機ＥＬ照明装置１０３においては、陽極１２の給電部１２Ｌ１と駆動回路２０とが互いに接続されており、有機ＥＬパネル１０に対しては給電部１２Ｌ１，１４Ｌ１，１４Ｒ１から給電される。
【０１１６】
本実施の形態における有機ＥＬ照明装置１０３によれば、上述の各実施の形態のような駆動波形を有する駆動電圧を有機ＥＬパネル１０に供給すると、輝度分布としては、発光面１８内の陽極接続部１２Ｌ側の方が明るくて、発光面１８内の陽極接続部１２Ｒ側の方が暗くなる。点灯の際には、陽極接続部１２Ｒ側の方が陽極接続部１２Ｌの方に比べて遅く明るくなるような演出効果を発揮することが可能となる。消灯の際には、陽極接続部１２Ｒ側の方が陽極接続部１２Ｌの方に比べて早く暗くなるような演出効果を発揮することが可能となる。
【０１１７】
［実施の形態６］
図３２を参照して、本実施の形態における有機ＥＬ照明装置１０４は、有機ＥＬパネル１０Ａおよび有機ＥＬパネル１０Ｂを備える。有機ＥＬパネル１０Ａおよび有機ＥＬパネル１０Ｂは、同形状を有するとともに、互いに隣接するように配置される。
【０１１８】
有機ＥＬパネル１０Ａにおいては、陽極１２の給電部１２Ｌ１と駆動回路２０とが互いに接続されており、有機ＥＬパネル１０Ａに対しては給電部１２Ｌ１，１４Ｌ１，１４Ｒ１から給電される。有機ＥＬパネル１０Ｂにおいては、陽極１２の給電部１２Ｒ１と駆動回路２０とが互いに接続されており、有機ＥＬパネル１０Ｂに対しては給電部１２Ｒ１，１４Ｌ１，１４Ｒ１から給電される。
【０１１９】
本実施の形態における有機ＥＬ照明装置１０４によれば、上述の各実施の形態のような駆動波形を有する駆動電圧を有機ＥＬパネル１０Ａ，１０Ｂに供給すると、輝度分布としては、有機ＥＬパネル１０Ａの発光面１８については陽極接続部１２Ｌ側が明るくなるとともに陽極接続部１２Ｒ側が暗くなり、有機ＥＬパネル１０Ｂの発光面１８については陽極接続部１２Ｌが暗くなるとともに陽極接続部１２Ｒが明るくなる。
【０１２０】
点灯の際には、有機ＥＬパネル１０Ａ，１０Ｂの全体としての発光面１８内の周縁部に比べて、有機ＥＬパネル１０Ａ，１０Ｂの全体としての発光面１８内の中央部の方が遅く明るくなるように点灯されるような演出効果を発揮することが可能となる。消灯の際には、有機ＥＬパネル１０Ａ，１０Ｂの全体としての発光面１８内の周縁部に比べて、有機ＥＬパネル１０Ａ，１０Ｂの全体としての発光面１８内の中央部の方が早く暗くなるように消灯されるような演出効果を発揮することが可能となる。
【０１２１】
［実施の形態７］
図３３を参照して、本実施の形態における有機ＥＬ照明装置１０５は、有機ＥＬパネル１０Ａ〜１０Ｃと、駆動回路２０Ａ，２０Ｂとを備える。有機ＥＬパネル１０Ａ〜１０Ｃは、同形状を有するとともに、互いに隣接するように配置される。
【０１２２】
有機ＥＬパネル１０Ａにおいては、陽極１２の給電部１２Ｌ１と駆動回路２０Ｂとが互いに接続されており、有機ＥＬパネル１０Ａに対しては給電部１２Ｌ１，１４Ｌ１，１４Ｒ１から給電される。有機ＥＬパネル１０Ｂにおいては、陽極１２の給電部１２Ｌ１，１２Ｒ１と駆動回路２０Ａとが互いに接続されており、有機ＥＬパネル１０Ｂに対しては給電部１２Ｌ１，１２Ｒ１，１４Ｌ１，１４Ｒ１から給電される。有機ＥＬパネル１０Ｃにおいては、陽極１２の給電部１２Ｒ１と駆動回路２０Ｂとが互いに接続されており、有機ＥＬパネル１０Ｃに対しては給電部１２Ｒ１，１４Ｌ１，１４Ｒ１から給電される。
【０１２３】
本実施の形態における有機ＥＬ照明装置１０５によれば、上述の各実施の形態のような駆動波形を有する駆動電圧を有機ＥＬパネル１０Ａ〜１０Ｃに供給すると、輝度分布としては、有機ＥＬパネル１０Ａの発光面１８については陽極接続部１２Ｌ側が明るくなるとともに陽極接続部１２Ｒ側が暗くなり、有機ＥＬパネル１０Ｂの発光面１８については陽極接続部１２Ｌ側および陽極接続部１２Ｒ側の双方が明るくなり、有機ＥＬパネル１０Ｃの発光面１８については陽極接続部１２Ｌ側が暗くなるとともに陽極接続部１２Ｒ側が明るくなる。
【０１２４】
点灯の際には、有機ＥＬパネル１０Ａ〜１０Ｃの全体として、デューティおよび電圧値を制御することによって、発光面１８内の周縁部に比べて発光面１８内の中央部の方が遅く明るくなるように点灯されるような演出効果を発揮することが可能となる。消灯の際には、有機ＥＬパネル１０Ａ〜１０Ｃの全体として、デューティおよび電圧値を制御することによって、発光面１８内の周縁部に比べて発光面１８内の中央部の方が早く暗くなるように消灯されるような演出効果を発揮することが可能となる。
【０１２５】
［実施の形態８］
図３４を参照して、本実施の形態における有機ＥＬ照明装置１０６は、陽極１２の陽極接続部１２Ｌに、給電部１２Ｌ１，１２Ｌ２，１２Ｌ３が設けられる。同様に、陽極１２の陽極接続部１２Ｒに、給電部１２Ｒ１，１２Ｒ２，１２Ｒ３が設けられる。
【０１２６】
給電部１２Ｌ１は、給電部１２Ｌ２よりも陽極接続部１２Ｌ内において陰極接続部１４Ｒ寄りに位置し、給電部１２Ｌ３は、給電部１２Ｌ２よりも陽極接続部１２Ｌ内において陰極接続部１４Ｌ寄りに位置する。給電部１２Ｒ１は、給電部１２Ｒ２よりも陽極接続部１２Ｒ内において陰極接続部１４Ｒ寄りに位置し、給電部１２Ｒ３は、給電部１２Ｒ２よりも陽極接続部１２Ｒ内において陰極接続部１４Ｒ寄りに位置する。
【０１２７】
駆動回路２０から給電部１２Ｌ１，１２Ｌ３を通した有機ＥＬパネル１０（陽極接続部１２Ｌ）への給電は、トランジスタ２８の動作によって、接続および非接続が切り換えられる。同様に、駆動回路２０から給電部１２Ｒ１，１２Ｒ３を通した有機ＥＬパネル１０（陽極接続部１２Ｒ）への給電も、トランジスタ２８の動作によって、接続および非接続が切り換えられる。トランジスタ２８（スイッチ手段）は、たとえばＦＥＴ（Field  effect  transistor）から構成される。
【０１２８】
トランジスタ２８は、駆動回路２０内のマイコンの出力ポートに接続されている。駆動回路２０は、有機ＥＬパネル１０の駆動のタイミングと同期して、トランジスタ２８を制御することが可能である。
【０１２９】
図３５（Ａ）および図３５（Ｂ）に示すように、本実施の形態の有機ＥＬ照明装置１０６においては、遷移状態中のＴ１≦時間Ｔ＜Ｔ１Ｂの際に、トランジスタ２８がＯＦＦ（非接続）の状態とされる。有機ＥＬパネル１０が消灯状態から点灯状態に遷移する遷移状態の際のＴ１≦時間Ｔ＜Ｔ１Ｂにおいては、有機ＥＬパネル１０に対しては給電部１２Ｌ２，１２Ｒ２，１４Ｌ１，１４Ｒ１から給電される。
【０１３０】
有機ＥＬパネル１０が消灯状態から点灯状態に遷移する遷移状態の際のＴ１Ｂ≦時間Ｔ＜Ｔ２においては、トランジスタ２８がＯＮ（接続）の状態とされる。Ｔ１Ｂ≦時間Ｔ＜Ｔ２においては、有機ＥＬパネル１０に対しては給電部１２Ｌ１，１２Ｌ２，１２Ｌ３，１２Ｒ１，１２Ｒ２，１２Ｒ３，１４Ｌ１，１４Ｒ１から給電される。
【０１３１】
遷移状態の中の駆動周波数が比較的高い時間（Ｔ１≦時間Ｔ＜Ｔ１Ｂ）の間に、トランジスタ２８が、駆動回路２０と複数のうちの一部の給電部（給電部１２Ｌ１，１２Ｌ３，１２Ｒ１，１２Ｒ３）との間の電気的接続を遮断することによって、有機ＥＬパネル１０に対して駆動回路２０からの駆動電圧を供給する給電部の数が減少する。
【０１３２】
Ｔ１≦時間Ｔ＜Ｔ１Ｂの間においては、陽極１２への駆動電圧の供給量が低くなるため、発光面１８内に輝度ムラが多く形成される。発光面１８の周縁部に比べて発光面１８の中央部の方が遅く明るくなるという照明上の演出が行なわれる際に、より際立った演出効果を発揮することが可能となる。
【０１３３】
Ｔ１Ｂ≦時間Ｔにおいては、トランジスタ２８がＯＮ（接続）の状態とされることによって、給電部の数が増加する。駆動回路２０は、有機ＥＬパネル１０の発光面１８内を均一に発光させることが可能となる。
【０１３４】
本実施の形態においては、有機ＥＬパネル１０が消灯状態から点灯状態に遷移する際の態様に基づいて説明したが、有機ＥＬパネル１０が点灯状態から消灯状態に遷移する際にも、トランジスタ２８は上記と同様の動作を行なってもよい。
【０１３５】
たとえば図２５に示すＴ４Ｂ≦時間Ｔ＜Ｔ５の間においてトランジスタ２８がＯＦＦ（非接続）の状態とされることによって、Ｔ４Ｂ≦時間Ｔ＜Ｔ５の間においては、陽極１２への駆動電圧の供給量が低くなるため、発光面１８内に輝度ムラが多く形成される。発光面１８内の周縁部に比べて発光面１８内の中央部の方が早く暗くなるという照明上の演出が行なわれる際に、より際立った演出効果を発揮することが可能となる。
【０１３６】
（変形例）
上述の実施の形態８においては、有機ＥＬパネル１０が点灯状態から消灯状態に遷移する際、遷移状態の略前半にわたって、トランジスタ２８がＯＦＦ（非接続）の状態とされる。
【０１３７】
図３６（Ａ）および図３６（Ｂ）を参照して、遷移状態の全てにわたって、トランジスタ２８がＯＦＦ（非接続）の状態とされてもよい。当該構成によっても、発光面１８内の周縁部に比べて発光面１８内の中央部の方が遅く明るくなるという照明上の演出が行なわれる際に、より際立った演出効果を発揮することが可能となる。
【０１３８】
有機ＥＬパネル１０が点灯状態から消灯状態に遷移する際にも、トランジスタ２８は、上記と同様の動作を行なってもよい。
【０１３９】
たとえば図２５に示すＴ４≦時間Ｔ＜Ｔ５の間においてトランジスタ２８がＯＦＦ（非接続）の状態とされることによって、Ｔ４≦時間Ｔ＜Ｔ５の間においては、陽極１２への駆動電圧の供給量が低くなるため、発光面１８内に輝度ムラが多く形成される。発光面１８内の周縁部に比べて発光面１８内の中央部の方が早く暗くなるという照明上の演出が行なわれる際に、より際立った演出効果を発揮することが可能となる。
【０１４０】
以上、本発明に基づいた各実施の形態および各変形例について説明したが、今回開示された各実施の形態および各変形例はすべての点で例示であって制限的なものではない。本発明の技術的範囲は特許請求の範囲によって示され、特許請求の範囲と均等の意味および範囲内でのすべての変更が含まれることが意図される。
【符号の説明】
【０１４１】
１０，１０Ａ，１０Ｂ，１０Ｃ  有機ＥＬパネル、１１  透明基板、１２  陽極、１２Ｌ，１２Ｒ  陽極接続部、１２Ｌ１，１２Ｌ２，１２Ｌ３，１２Ｒ１，１２Ｒ２，１２Ｒ３，１４Ｌ１，１４Ｒ１  給電部、１３  有機層、１４  陰極、１４Ｌ，１４Ｒ  陰極接続部、１５  絶縁層、１６  封止層、１８  発光面、２０，２０Ａ，２０Ｂ  駆動回路、２１  マイコン、２１Ａ  制御部、２２  メモリー、２３，２５，２８  トランジスタ、２４  定電圧回路、２４Ａ  電圧制御部、３０  電源、４０  操作部、１００，１０１，１０２，１０３，１０４，１０５，１０６  照明装置、Ｆ１，Ｆ１Ａ，Ｆ１Ｂ，Ｆ１Ｃ  第１周波数、Ｆ２  第２周波数、Ｆ３  第３周波数、Ｆ４，Ｆ４Ａ，Ｆ４Ｂ，Ｆ４Ｃ  第４周波数、Ｆ６  第６周波数、Ｆ７Ａ，Ｆ７Ｂ，Ｆ７Ｃ  第７周波数、Ｆ８  第８周波数。
【図１】
0005716630.tif 000002
【図２】
0005716630.tif 000003
【図３】
0005716630.tif 000004
【図４】
0005716630.tif 000005
【図５】
0005716630.tif 000006
【図６】
0005716630.tif 000007
【図７】
0005716630.tif 000008
【図８】
0005716630.tif 000009
【図９】
0005716630.tif 000010
【図１０】
0005716630.tif 000011
【図１１】
0005716630.tif 000012
【図１２】
0005716630.tif 000013
【図１３】
0005716630.tif 000014
【図１４】
0005716630.tif 000015
【図１５】
0005716630.tif 000016
【図１６】
0005716630.tif 000017
【図１７】
0005716630.tif 000018
【図１８】
0005716630.tif 000019
【図１９】
0005716630.tif 000020
【図２０】
0005716630.tif 000021
【図２１】
0005716630.tif 000022
【図２２】
0005716630.tif 000023
【図２３】
0005716630.tif 000024
【図２４】
0005716630.tif 000025
【図２５】
0005716630.tif 000026
【図２６】
0005716630.tif 000027
【図２７】
0005716630.tif 000028
【図２８】
0005716630.tif 000029
【図２９】
0005716630.tif 000030
【図３０】
0005716630.tif 000031
【図３１】
0005716630.tif 000032
【図３２】
0005716630.tif 000033
【図３３】
0005716630.tif 000034
【図３４】
0005716630.tif 000035
【図３５】
0005716630.tif 000036
【図３６】
0005716630.tif 000037